(57)【特許請求の範囲】
【請求項１】
上方から被計量物が供給されることにより前記被計量物を計量して、計量後の前記被計量物を下方へ排出する計量ホッパを、当該計量ホッパが取り付けられている計量装置本体から取り外すための計量装置分解用治具であって、
前記計量ホッパの下方に挿通され、上面に前記計量ホッパが摺動可能な左右一対の棒状部材と、
前記左右一対の棒状部材を前記計量装置本体に取り付ける枠体と、
前記左右一対の棒状部材の上面を前記計量装置本体に対して昇降させる昇降部材と、を備えた計量装置分解用治具。
【請求項２】
前記左右一対の棒状部材は、少なくとも上面が棒状部材の主材より低い摩擦係数を有する高分子樹脂で覆われている高分子樹脂加工レールとして構成されている、請求項１に記載の計量装置分解用治具。
【請求項３】
前記昇降部材は、前記枠体を前記計量装置本体に対して昇降させるジャッキボルトを含む、請求項１または２に記載の計量装置分解用治具。
【請求項４】
前記計量ホッパは、吊り下げ部材を介して前記計量装置本体に吊り下げられた状態で取り付けられており、
前記昇降部材は、前記計量ホッパの位置が前記計量装置本体から前記吊り下げ部材を取り外すのに必要な位置となるまで前記左右一対の棒状部材の上面の高さを上昇可能に構成されている、請求項１から３の何れかに記載の計量装置分解用治具。
【請求項５】
前記吊り下げ部材は、前記計量装置本体に固定されたロードセルの荷重負荷部に、前記計量ホッパの自重により係合されている、請求項４に記載の計量装置分解用治具。
【請求項６】
自重により計量装置本体に係合された状態で前記計量装置本体に取り付けられ、上方から被計量物が供給されることにより前記被計量物を計量して、計量後の前記被計量物を下方へ排出する計量ホッパを、前記計量装置本体から取り外すための計量装置分解方法であって、
左右一対の棒状部材を備えた計量装置分解用治具を前記計量装置本体に取り付け、
前記左右一対の棒状部材の上面の高さを前記計量ホッパに当接させつつ上昇させることで前記計量ホッパを上昇させ、
前記計量装置本体と前記計量ホッパとの係合を解除することで前記計量装置本体から前記計量ホッパを分離し、
前記計量ホッパを前記左右一対の棒状部材の上面に対して摺動させることで前記計量装置本体の外部へ移動させる、計量装置分解方法。
【発明の詳細な説明】
【技術分野】
【０００１】
本発明は計量装置に設けられる計量ホッパを計量装置本体から取り出すための計量装置分解用治具および計量装置分解方法に関する。特に、本発明は、粉体（洗剤、肥料等）、粒体（樹脂ペレット、穀物、飼料等）の被計量物を所定の目標重量に調整するとともに、袋等の容器に充填するパッカースケールなどの計量装置に用いられる計量ホッパに対して用いる計量装置分解用治具および計量装置分解方法に関する。
【背景技術】
【０００２】
樹脂成型加工原料となる樹脂ペレットを効率よく目標重量にひとまとめにして袋詰めするパッカースケールなどの計量装置には、上方から被計量物が供給されることにより被計量物を計量して、計量後の被計量物を下方へ排出する計量ホッパが設けられている。特に、粉体（洗剤、肥料等）、粒体（樹脂ペレット、穀物、飼料等）の被計量物を所定の目標重量に調整するための計量装置においては、１袋あたりの充填量が例えば数１０ｋｇであるような重量物を計量する必要があるため、計量ホッパの大きさや強度確保のために計量ホッパ自体の重量も重いものが多く、例えば計量ホッパ自体の重量が５０ｋｇ以上あるものも存在する。
【０００３】
ところで、このような計量ホッパには、計量後の被計量物を下方へ排出するために開閉するホッパゲートが設けられている。計量の高速化および高精度化の要請からホッパゲートの開閉は高速かつホッパゲートが閉じられた状態で被計量物が漏れ出ることがないように適切に動作させる必要がある。このため、計量ホッパの定期的なメンテナンスが必要となる。計量ホッパは、計量装置の内部に取り付けられているため、計量装置本体から計量ホッパを計量装置本体より外部に取り出してメンテナンスする必要がある。
【０００４】
ここで、ホッパ装置を計量装置本体より外部へ取り出す技術としては、下記特許文献１および２が知られている。特許文献１および２は多数の計量ホッパを用いて組み合せ演算を行うことにより目標重量の被計量物を計量し、組み合せ演算に選ばれた被計量物を集合ホッパを介して１箇所にまとめて排出する組合せ秤の集合ホッパに適用されているものである。そして、特許文献１および２の計量装置は、集合ホッパの計量装置本体への固定箇所（より具体的には集合ホッパの上部）にレール機構を設けて集合ホッパを計量装置本体に対して摺動可能とする構成を有している。
【先行技術文献】
【特許文献】
【０００５】
【特許文献１】特開２００９−９２３９９号公報
【特許文献２】実公平１−２７０６１号公報
【発明の概要】
【発明が解決しようとする課題】
【０００６】
上述したように、上記特許文献１および２の構成は、ホッパ内に投入された被計量物を計量しない集合ホッパであり、計量装置の作動時には、これらのホッパは計量装置本体に固定されて使用される。
【０００７】
ところが、パッカースケールにおける計量ホッパは、計量ホッパ内に投入された被計量物の重量を計量ホッパごと計量するために、計量ホッパは、計量装置の作動時において計量装置本体に対してある程度の上下動が許容されていなければならない。このため、計量ホッパが自重により直接的または間接的に計量装置本体に係合された状態で取り付けられている。例えば、計量装置本体に固定されたロードセルの荷重負荷部に、計量ホッパの自重により荷重負荷部に係合する吊り下げ部材を介して、計量ホッパが吊り下げられた状態で取り付けられる。したがって、このような計量ホッパにおいて、上記特許文献１および２のような構造では、計量ホッパの取り出し時に計量ホッパが安定せず、作業の安全性が確保できないためこれらの構造は適用できない。
【０００８】
実際、従来のパッカースケールにおいて計量ホッパを外部に取り出すためには、前述したような非常に重い計量ホッパに対しても作業員が二人掛かりで持ち上げ、ロードセルから吊り下げ部材を取り外して計量ホッパを計量装置本体から分離した上で人手で運び出す必要があった。したがって、従来の計量ホッパの取り出しには、作業員の大変な労力を必要とするという問題があった。
【０００９】
本発明は、このような事情に鑑みてなされたものであり、容易かつ短時間に計量ホッパを計量装置本体の外部へ取り出すことができる計量装置分解用治具および計量装置分解方法を提供することを目的とする。
【課題を解決するための手段】
【００１０】
上記課題を解決するため、本発明に係る計量装置分解用治具は、上方から被計量物が供給されることにより前記被計量物を計量して、計量後の前記被計量物を下方へ排出する計量ホッパを、当該計量ホッパが取り付けられている計量装置本体から取り外すための計量装置分解用治具であって、前記計量ホッパの下方に挿通され、上面に前記計量ホッパが摺動可能な左右一対の棒状部材と、前記左右一対の棒状部材を前記計量装置本体に取り付ける枠体と、前記左右一対の棒状部材の上面を前記計量装置本体に対して昇降させる昇降部材と、を備えている。
【００１１】
上記構成によれば、枠体を計量装置本体に取り付けた上で、左右一対の棒状部材の上面に計量ホッパが載置された状態で、計量ホッパを左右一対の棒状部材の上面に対して摺動させることにより、計量ホッパの重量に拘わらず、当該計量ホッパを容易に計量装置本体外に搬出することができる。しかも、昇降部材によって左右一対の棒状部材の上面の高さを調整することにより、計量ホッパの位置を上昇させることができ、計量ホッパを計量装置本体から分離させる作業を容易に行うことができる。したがって、容易かつ短時間に計量ホッパを計量装置本体の外部へ取り出すことができる。
【００１２】
前記左右一対の棒状部材は、少なくとも上面が棒状部材の主材より低い摩擦係数を有する高分子樹脂で覆われている高分子樹脂加工レールとして構成されていてもよい。これにより、計量ホッパと棒状部材との滑りがよくなり、より軽い力で容易かつ短時間に計量ホッパを計量装置本体外に搬出することができる。
【００１３】
前記昇降部材は、前記枠体を前記計量装置本体に対して昇降させるジャッキボルトを含んでもよい。これにより、簡単な構成で左右一対の棒状部材の上面の高さを容易に調整することができる。
【００１４】
前記計量ホッパは、吊り下げ部材を介して前記計量装置本体に吊り下げられた状態で取り付けられており、前記昇降部材は、前記計量ホッパの位置が前記計量装置本体から前記吊り下げ部材を取り外すのに必要な位置となるまで前記左右一対の棒状部材の上面の高さを上昇可能に構成されていてもよい。これにより、計量ホッパを計量装置本体から分離させる際に、作業員が計量ホッパを持ち上げる必要がなくなるため、容易かつ短時間に計量ホッパを計量装置本体から分離させることができる。
【００１５】
前記吊り下げ部材は、前記計量装置本体に固定されたロードセルの荷重負荷部に、前記計量ホッパの自重により係合されていてもよい。
【００１６】
また、本発明に係る計量装置分解方法は、自重により計量装置本体に係合された状態で前記計量装置本体に取り付けられ、上方から被計量物が供給されることにより前記被計量物を計量して、計量後の前記被計量物を下方へ排出する計量ホッパを、前記計量装置本体から取り外すための計量装置分解方法であって、左右一対の棒状部材を備えた計量装置分解用治具を前記計量装置本体に取り付け、前記左右一対の棒状部材の上面の高さを前記計量ホッパに当接させつつ上昇させることで前記計量ホッパを上昇させ、前記計量装置本体と前記計量ホッパとの係合を解除することで前記計量装置本体から前記計量ホッパを分離し、前記計量ホッパを前記左右一対の棒状部材の上面に対して摺動させることで前記計量装置本体の外部へ移動させるものである。
【００１７】
上記方法によれば、計量装置分解用治具を計量装置本体に取り付けた上で、左右一対の棒状部材の上面に計量ホッパが載置された状態で、計量ホッパを左右一対の棒状部材の上面に対して摺動させることにより、計量ホッパの重量に拘わらず、当該計量ホッパを容易に計量装置本体外に搬出することができる。しかも、左右一対の棒状部材の上面の高さを計量ホッパに当接させつつ上昇させることにより、計量ホッパの位置を上昇させることができ、計量ホッパを計量装置本体から分離させる作業を容易に行うことができる。したがって、容易かつ短時間に計量ホッパを計量装置本体の外部へ取り出すことができる。
【発明の効果】
【００１８】
本発明は、上記のように構成され、容易かつ短時間に計量ホッパを計量装置本体の外部へ取り出すことができる。
【図面の簡単な説明】
【００１９】
【図１】図１は、本発明の一実施形態における計量装置分解用治具の構造を示した斜視図である。
【図２】図２は、図１に示す計量装置分解用治具を計量装置本体に設置した際の状態を概念的に示す概略斜視図である。
【図３】図３は、図１に示す計量装置分解用治具が設置された計量装置の部分側面図である。
【図４】図４は、図３における計量装置をＩＶ−ＩＶ視した図である。
【発明を実施するための形態】
【００２０】
以下、本発明の実施形態における計量装置分解用治具の具体的な構成例について、図面を参照しながら説明する。なお、以下では全ての図面を通じて同一または相当する要素には同一の参照符号を付して、その重複する説明を省略する場合がある。また、以下の具体的な説明は、本発明における計量装置分解用治具および計量装置分解方法の特徴を例示しているに過ぎない。例えば、上記計量装置分解用治具を特定した用語と同じ用語または相当する用語に適宜の参照符号を付して以下の具体例を説明する場合、当該具体的な構成要素は、これに対応する上記計量装置分解用治具の構成要素の一例である。したがって、上記計量装置分解用治具および計量装置分解方法の特徴は、以下の具体的な説明によって限定されない。
【００２１】
図１は、本発明の一実施形態における計量装置分解用治具の構造を示した斜視図であり、図２は、図１に示す計量装置分解用治具を計量装置本体に設置した際の状態を概念的に示す概略斜視図である。なお、図２においては、後述する計量装置本体と計量ホッパとの取り付け部分は図示を省略している。なお、本実施形態においては、計量装置としてパッカースケールを例示し、当該パッカースケールに取り付けられた計量ホッパを計量装置本体から取り外すための計量装置分解用治具について説明する。
【００２２】
図１および図２に示すように、本実施形態の計量装置分解用治具１０は、水平方向（装着する計量装置本体５の前後方向）に延びる左右一対の棒状部材１を有している。なお、本実施形態における棒状部材１は、丸棒状に形成することが好ましいが、他の形状（例えば、多角形状など）であってもよい。
【００２３】
左右一対の棒状部材１は、少なくとも上面が棒状部材１の主材より低い摩擦係数を有する高分子樹脂で覆われている高分子樹脂加工レールとして構成されている。例えば、棒状部材１の主材としてステンレス鋼を棒状に形成した上で当該棒状体の上面を含む領域にフッ素樹脂（いわゆるテフロン（登録商標））などの高分子樹脂で形成された高分子樹脂レールが割りピンなどの係止部材によって固定されている。すなわち、高分子樹脂レールとステンレス鋼とで棒状部材１が構成されている。これにより、棒状部材１の上面に計量ホッパが載置された際の滑りがよくなるため、より軽い力で容易かつ短時間に計量ホッパを棒状部材１に対して摺動させることができる。
【００２４】
左右一対の棒状部材１の下面には、棒状部材１の長手方向にわたって下方に延出された支持部材２が設けられている。また、計量装置分解用治具１０は、左右一対の棒状部材１を互いに固定するための平板部材３１，３２，３３が設けられている。平板部材３１，３２，３３は、それぞれ支持部材２と直交するように左右一対の棒状部材１に対応する各支持部材２の所定箇所に取り付けられている。このように互いに直交した状態で固定される支持部材２と平板部材３１，３２，３３とで左右一対の棒状部材１を支持する枠体３が構成されている。
【００２５】
枠体３は、後述するように左右一対の棒状部材１を計量装置本体に取り付ける取り付け部材として機能する。平板部材は、左右一対の棒状部材１を連結しかつ計量装置本体５の前面側に取り付けられる第１部材３１と、左右一対の棒状部材１を連結しかつ計量装置本体５の後面側に取り付けられる第２部材３２と、左右一対の棒状部材１を連結しかつ計量装置本体５の前方に設けれられる第３部材３３とを備えている。第１部材３１および第２部材３２は、計量装置本体５の前面および後面に略平行な面を有し、計量装置分解用治具１０を計量装置本体５に設置した際に、第１部材３１の後面および第２部材３２の前面が計量装置本体５の前面および後面に当接される。第３部材３３は、水平面を有している。
【００２６】
さらに、本実施形態の計量装置分解用治具１０は、左右一対の棒状部材１の上面を計量装置本体に対して昇降させる昇降部材４を備えている。本実施形態において、昇降部材４は、左右一対の棒状部材１を支持する枠体３ごと計量装置本体に対して昇降させるよう構成されている。
【００２７】
詳しくは、昇降部材４は、枠体３の水平面に形成された孔に垂直に挿通されるボルト部材４１を備えたジャッキボルトにより構成されている。ボルト部材４１が取り付けられる水平面は、平板部材（第１部材３１、第２部材３２および第３部材３３）に形成されている。第１部材３１は、左右一対の棒状部材１の左右方向内側だけでなく外側へも延出され、当該外側部分の下端部から前方へ水平面を有するボルト取り付け部３１ａが延出されている。第２部材３２は、左右一対の棒状部材１の左右方向内側だけでなく外側へも延出され、当該外側部分の下端部から後方へ水平面を有するボルト取り付け部３２ａが延出されている。第３部材３３は、水平面が左右一対の棒状部材１の左右方向内側だけでなく外側へも延出され、当該外側部分がボルト取り付け部３３ａを構成している。
【００２８】
本構成によれば、ボルト部材４１に螺合された規制部材（例えばナットなど。図示せず）を回転させてボルト部材４１を枠体３に対して進入させることにより棒状部材１の上面の高さ（枠体３全体の高さ）が低くなり、規制部材を回転させてボルト部材４１を枠体３に対して退出させることにより棒状部材１の上面の高さが高くなる。これにより、簡単な構成で左右一対の棒状部材１の上面の高さを容易に調整することができる。
【００２９】
なお、昇降部材４は、左右一対の棒状部材１の上面の高さが計量装置本体５に対して調整可能である限り、上記構成に限られない。例えば、パンタグラフジャッキを用いたものであってもよいし、ラチェット機構を用いたものであってもよいし、油圧や空気圧を用いるものであってもよいし、モータなどの電動機構を用いたものであってもよい。また、本実施形態における昇降部材４は、枠体３に６つ設けられているが、その数、取り付け場所、形状、大きさ等は適宜変更してもよい。また、本実施形態における昇降部材４は、枠体３全体の高さを計量装置本体５に対して変更するよう構成されているが、これに限られない。例えば、昇降部材４は、枠体３に対して棒状部材１の高さを変更可能に構成されてもよい。
【００３０】
ここで、本実施形態において、計量装置分解用治具１０が設置される計量装置についてより詳しく説明する。図３は、図１に示す計量装置分解用治具が設置された計量装置の部分側面図であり、図４は、図３における計量装置をＩＶ−ＩＶ視した図である。
【００３１】
図３および図４に示すように、計量装置は、計量装置本体５の内部に、上方から被計量物が供給されることにより被計量物を計量して、計量後の被計量物を下方へ排出する計量ホッパ６を有している。計量ホッパ６は、上方から被計量物が供給される供給口６１と、被計量物を所定時間保持し、計量後の被計量物を下方へ排出する排出ゲート６２とを備えている。排出ゲート６２は、開閉機構６４により回動軸６２ａ回りに回動可能となっている。排出ゲート６２は、閉じた状態で、先端部が基端部より低い状態に位置しかつ先端部同士が当接する。さらに、計量ホッパ６は、自重により計量装置本体５に係合された状態で計量装置本体５に取り付けられている。具体的には、計量ホッパ６は、吊り下げ部材７を介して計量装置本体６に吊り下げられた状態で取り付けられている。このため、計量ホッパ６には、吊り下げ部材７を取り付けるための取り付け部６３が設けられている。取り付け部６３は、計量ホッパ６の前面の左右上方に２つ、後面の左右上方に２つの計４つ設けられている。すなわち、計量ホッパ６の四隅に吊り下げ部材７が取り付けられることにより、計量ホッパ６が上方から吊り下げられている。
【００３２】
計量装置本体５には、計量ホッパ６の重量を検出するロードセル８が固定されており、吊り下げ部材７は、計量装置本体５に固定されたロードセル８の荷重負荷部８ａに取り付けられる。
【００３３】
ロードセル８は、吊り下げ部材７に対応して（本実施形態においては４つ）設けられており、各ロードセル８で検出される重量の合計値が計量ホッパ６および被計量物の合計重量となる。計量ホッパ６の重量は既知であるため、各ロードセル８で検出される重量の合計値から計量ホッパ６の重量を差し引くことにより、被計量物の重量が求められる。
【００３４】
ロードセル８は、計量装置本体５における計量ホッパ６の上方かつ左右方向外側に２つずつ荷重負荷部８ａが向かい合うように取り付けられている。荷重負荷部８ａは、円筒状の軸部材の軸方向の一部が軸方向の他の部分に比べて小径となることにより吊り下げ部材７を吊り下げ可能とした形状（窪み部）を有している。吊り下げ部材７は、このような荷重負荷部８ａの窪み部に吊り下げられるように、上部に孔部またはフック部が形成されている。計量ホッパ６を吊り下げ部材７を介してロードセル８に吊り下げることにより、吊り下げ部材７には計量ホッパ６の自重（下向きの荷重）が常にかかり、吊り下げ部材７の孔部またはフック部が荷重負荷部８ａの窪み部に食い込むように係合するため、通常の使用時（計量時）においては水平方向の移動が規制される。
【００３５】
計量ホッパ６は、排出ゲート６２の回動軸６２ａが前後方向に向くように吊り下げられている。したがって、計量装置分解用治具１０を計量装置本体５に取り付けた際、左右一対の棒状部材１と排出ゲート６２の回動軸６２ａとが略平行となる。このため、左右一対の棒状部材１の上面には、計量ホッパ６の排出ゲート６２における基端部と先端部との間の領域（排出ゲート６２の前後方向全域にわたる領域）が当接する。そして、左右一対の棒状部材１の間でかつ当該棒状部材１の上面より低い位置に排出ゲート６２の先端部が位置することとなる。これにより、枠体３に対する棒状部材１の上面の高さ（支持部材２の高さ）を低くして、軽量かつ高い剛性を有する計量装置分解用治具とすることができる。なお、図４に示すように、第1部材３１の中央部上側部分は、排出ゲート６２の先端部が通過可能なように切り欠かれており、枠体３に対する棒状部材１の上面の高さを低くしつつ計量ホッパ６を棒状部材１の上面に対して容易に摺動させることができる。
【００３６】
図２から図４に示すように、本実施形態の計量装置分解用治具１０は、このような計量装置本体５に対し、計量ホッパ６の下方に挿通することにより、左右一対の棒状部材１の上面に計量ホッパ６が摺動可能なように設置される。
【００３７】
計量装置本体５の前面には計量装置本体５の前方へ延出され、上面が水平面となる前側張り出し部５１が設けられている。同様に、計量装置本体５の後面には計量装置本体５の後方へ延出され、上面が水平面となる後側張り出し部５２が設けられている。計量装置分解用治具１０の設置時においては、前側張り出し部５１には、枠体３の第１部材３１に取り付けられた昇降部材４（ボルト部材４１）が載置され、後側張り出し部５２には、枠体３の第２部材３２に取り付けられた昇降部材４（ボルト部材４１）が載置される。したがって、昇降部材４を調整することにより、枠体３および棒状部材１の高さが計量装置本体５の各張り出し部５１，５２の水平面の高さに対して変化する。計量装置本体５の前方かつ枠体３の第３部材３３の下方には図示しない作業台を設置し、第３部材３３に取り付けられた昇降部材４（ボルト部材４１）を当該作業台上に載置することも可能である。これにより、計量ホッパ６を前方に引き出した際の安定度を高めつつ、当該安定度を損ねることなく高さ調整も行うことができる。
【００３８】
昇降部材４は、計量装置分解用治具１０が計量装置本体５に取り付けられた状態で、計量ホッパ６の位置が計量装置本体５から吊り下げ部材７を取り外すのに必要な位置となるまで左右一対の棒状部材１の上面の高さを上昇可能に構成されている。
【００３９】
ここで、以上のような構成の計量装置分解用治具１０を用いて計量装置本体５から計量ホッパ６を取り外す手順について説明する。計量装置本体５には、上述したとおり、吊り下げ部材７により計量ホッパ６が吊り下げられた状態で取り付けられている。また、計量装置分解用治具１０は、計量装置本体５に設置し易くするために、計量装置本体５に設置した際に左右一対の棒状部材１の上面の高さが予め低い位置となるように昇降部材４が調整されている。
【００４０】
まず、計量装置本体５から計量ホッパ６の前方および後方にあるカバー（図示せず）を取り外す。次に、計量装置分解用治具１０を計量装置本体５内の計量ホッパ６の下方へ挿通し、第１部材３１の後面と計量装置本体５の前面とを当接させ、かつ、第２部材３２の前面と計量装置本体５の後面とを当接させることにより、計量装置本体５に計量装置分解用治具１０を取り付ける。このとき、第1部材３１および第２部材３２の各昇降部材４は、前側張り出し部５１および後側張り出し部５２にそれぞれ載置される。また、前述した作業台を計量装置本体５の前方に設置しておき、第３部材３３の昇降部材４を当該作業台上に載置してもよい。
【００４１】
なお、本実施形態において、支持部材２は、第１部材３１と第２部材３２との間における高さが他の部分よりも低くなっている（切り欠き部２ａが形成されている）。これにより、計量装置分解用治具１０を計量装置本体５に容易かつ安定的に取り付けることができる。
【００４２】
次に、昇降部材４を用いて左右一対の棒状部材１の上面の高さを上昇させる。これにより、左右一対の棒状部材１の上面に計量ホッパ６の排出ゲート６２が当接する。排出ゲート６２が左右一対の棒状部材１の上面に当接した状態で、さらに昇降部材４を用いて左右一対の棒状部材１の上面の高さを上昇させることにより、計量ホッパ６を持ち上げる。計量ホッパ６の位置が計量装置本体５から吊り下げ部材７を取り外すのに必要な位置となるまで上昇したら、計量装置本体５から吊り下げ部材７を取り外すことにより、計量装置本体５から計量ホッパ６を分離する。なお、本実施形態においては、図３に示すように、吊り下げ部材７自体も計量ホッパ６から取り外す。
【００４３】
上述したように、本実施形態における吊り下げ部材７は、通常使用時においてロードセル８の荷重負荷部８ａに形成された窪み部に食い込んだ状態（水平方向への移動が規制された状態）で固定されている。この状態から計量装置分解用治具１０の昇降部材４を用いて計量ホッパ６を持ち上げることにより、吊り下げ部材７の位置も上昇し、荷重負荷部８ａへの係合が解除される。したがって、作業員が計量ホッパ６を持ち上げることなく容易かつ短時間に計量ホッパ６を計量装置本体５から分離させることができる。
【００４４】
計量装置本体５から分離された計量ホッパ６は、左右一対の棒状部材１の上面に載置された状態であるので、この計量ホッパ６を左右一対の棒状部材１の上面に対して摺動させることにより計量装置本体５の外部（前方）へ移動させる。これにより、計量ホッパ６の重量に拘わらず、当該計量ホッパ６を容易に計量装置本体５の外部に搬出することができる。
【００４５】
上記計量装置分解用治具１０を用いることにより、作業員が二人掛かりで計量ホッパ６を持ち上げて計量装置本体５の外部に持ち運ぶ必要がなくなり、軽い力で容易かつ短時間に計量ホッパ６を計量装置本体５の外部へ取り出すことができる。例えば、重量が５０ｋｇ以上ある計量ホッパ６であっても、上記計量装置分解用治具１０を用いることにより、作業員が一人で約１０分以内で外部へ取り出すことができる。
【００４６】
なお、上記実施形態においては、計量装置本体５に固定されたロードセル８に吊り下げ部材７を介して計量ホッパ６が吊り下げられた状態で取り付けられる計量装置に基づいて説明したが、本発明はこれに限られない。例えば、計量装置本体に固定されたロードセルに計量ホッパが当該計量ホッパの自重により直接的に係合される計量装置に、上述した計量装置分解用治具１０を適用することとしてもよい。
【００４７】
また、上記実施形態においては、計量ホッパ６が計量装置本体５に固定された４つのロードセル８に取り付けられる吊り下げ部材７を介して４点で支持される構成について説明したが、本発明はこれに限られない。例えば、計量装置本体に３つのロードセルが固定され、計量ホッパがこれらのロードセルによって３点で吊り下げ支持される構成についても上述した計量装置分解用治具１０を適用可能である。このように、計量ホッパの支持点数は、４点に限られず、３点以下であってもよいし、５点以上であってもよい。
【００４８】
また、上記実施形態においては、パッカースケールに設けられる計量ホッパ６を取り外すための計量装置分解用治具１０について説明したが、計量ホッパを備えた計量装置であればどのようなものに対しても適用可能である。特に、計量ホッパの取り出し時において計量ホッパを持ち上げる必要があるような、計量ホッパがロードセル等に吊り下げられている態様の計量装置において適用すると、より有効である。
【産業上の利用可能性】
【００４９】
本発明の計量装置分解用治具および計量装置分解方法は、容易かつ短時間に計量ホッパを計量装置本体の外部へ取り出すために有用である。
【符号の説明】
【００５０】
１  棒状部材
２  支持部材
２ａ  切り欠き部
３  枠体
４  昇降部材
５  計量装置本体
６  計量ホッパ
７  吊り下げ部材
８  ロードセル
８ａ  荷重負荷部
１０  計量装置分解用治具
３１  第１部材
３１ａ，３２ａ，３３ａ  ボルト取り付け部
３２  第２部材
３３  第３部材
４１  ボルト部材
５１  前側張り出し部
５２  後側張り出し部
６１  供給口
６２  排出ゲート
６２ａ  回動軸
６３  取り付け部
６４  開閉機構
【図１】
0005818626.tif 000002
【図２】
0005818626.tif 000003
【図３】
0005818626.tif 000004
【図４】
0005818626.tif 000005